(57)【要約】【課題】水平天井用ダウンライトと同一形状であっても、傾斜天井に合った配光制御を可能とし、光源が直接外部に露出しないようにする。【解決手段】光源としての片口金型蛍光ランプ１Ａと、この光を下方に反射する反射板１５と、光源点灯用の安定器１４とを備えるとともに、透光材料からなる板状あるいはシート状のものであり、少なくとも一面には微細形状による光制御手段を設けており、この光制御手段の少なくとも一面にさらに微細な形状による第２光制御手段を設けている配光制御パネル２を備え、この配光制御パネル２を光源の下方に設けた。【選択図】　図１
2004127616.tif 000002
【特許請求の範囲】
【請求項１】
傾斜天井に取り付けて使用される傾斜天井用ダウンライトであって、光源と、この光源の光を下方に反射する反射板と、前記光源点灯用の安定器とを備えるとともに、透光材料からなる板状あるいはシート状のものであり、少なくとも一面には微細形状による光制御手段を設けており、この光制御手段の少なくとも一面にさらに微細な形状による第２光制御手段を設けている配光制御パネルを備え、この配光制御パネルを前記光源の下方に設けてなることを特徴とする傾斜天井用ダウンライト。
【請求項２】
傾斜天井への取付時に前記反射板の直下が明るい配光となるように前記配光制御パネルを前記光源の下方に設けてなることを特徴とする請求項１記載の傾斜天井用ダウンライト。
【請求項３】
前記配光制御パネルは円状に形成されていることを特徴とする請求項１または２記載の傾斜天井用ダウンライト。
【請求項４】
前記配光制御パネルは多角形状に形成されていることを特徴とする請求項１または２記載の傾斜天井用ダウンライト。
【請求項５】
前記光源は蛍光灯であることを特徴とする請求項３または４記載の傾斜天井用ダウンライト。
【請求項６】
前記光源は白熱灯であることを特徴とする請求項３または４記載の傾斜天井用ダウンライト。
【請求項７】
前記光源の軸方向と前記配光制御パネルの微細加工方向とが平行になっていることを特徴とする請求項５記載の傾斜天井用ダウンライト。
【請求項８】
前記光源の軸方向と前記配光制御パネルの微細加工方向とが垂直になっていることを特徴とする請求項５記載の傾斜天井用ダウンライト。
【請求項９】
前記光源の軸方向に対する前記配光制御パネルの微細加工方向を任意の方向に調整自在となっていることを特徴とする請求項５または６記載の傾斜天井用ダウンライト。
【請求項１０】
前記配光制御パネルは平面板状であることを特徴とする請求項７から９のいずれかに記載の傾斜天井用ダウンライト。
【請求項１１】
前記配光制御パネルは下方側の外周寸法が上方側の外周寸法よりも小さい下に凸の断面形状になっていることを特徴とする請求項７から９のいずれかに記載の傾斜天井用ダウンライト。
【請求項１２】
前記配光制御パネルは、上方に開口を有する箱状に形成され開口縁部につば部を有していることを特徴とする請求項７から９のいずれかに記載の傾斜天井用ダウンライト。
【請求項１３】
前記つば部はマット状となっていることを特徴とする請求項１２記載の傾斜天井用ダウンライト。
【請求項１４】
前記配光制御パネルを囲繞する枠を備え、前記配光制御パネルは、前記枠の内周縁部に近接しながらその内周縁部から離隔した側が前記枠内側の開口面下方に突出した状態で、前記枠の内周縁部周りに回転自在となっていることを特徴とする請求項１０から１３のいずれかに記載の傾斜天井用ダウンライト。
【発明の詳細な説明】
【０００１】
【発明の属する技術分野】
本発明は、傾斜天井に取り付けて使用される傾斜天井用ダウンライトに関するものである。
【０００２】
【従来の技術】
従来、傾斜天井に取り付けて使用される傾斜天井用ダウンライトが種々提案され市販されているが、この種のダウンライトは、傾斜天井に取り付けられることから、例えば図１８に示すような反射板１５ＰＡの形状によって配光制御をするようになっている。なお、図１８において、１Ｃは白熱灯、１０ＰＡは取付本体、１１は取付金具、１２ＰＡは天板、１３はソケット、１４は安定器である。
【０００３】
実開平６−３１０２１号公報（特許文献１）には、一定の角度に傾斜した開口を有してその開口の縁部が傾斜天井に取付けられる筒状の枠体と、開口の傾斜方向に直角な水平軸の回りに回動可能に枠体に取付けられた灯具とを備え、灯具の回動により配光制御をする傾斜天井用照明器具が記載されている。
【０００４】
また、器具本体の可動により配光制御をするものや、水平天井用ダウンライトと同一形状であり、配光制御をしないが傾斜天井に取り付けることができる下面開放型ダウンライトや下面パネル付きダウンライトなどがある。
【０００５】
【特許文献１】
実開平６−３１０２１号公報
【特許文献２】
特開２０００−１９３８０９公報
【０００６】
【発明が解決しようとする課題】
しかしながら、図１８および実開平６−３１０２１号公報のダウンライト、そして器具本体の可動によって配光制御をするものなどでは、傾斜天井専用の反射板、本体および灯具などを使用する必要があるので、コストが高くなる問題があった。また光源配置などの影響によりダウンライトの寸法が大型になっていた。
【０００７】
他方、下面開放型ダウンライトや下面パネル付きダウンライトなどでは、水平天井用ダウンライトと同一形状であるため、上記のようにコストが高くなる問題は生じないが、下面パネル付きダウンライトではダウンライトの直下が明るくならない欠点があり、下面開放型ダウンライトでは光源が直接見えるために眩しく不快感を与える問題がある。
【０００８】
本発明は、上記事情に鑑みてなされたものであり、水平天井用ダウンライトと同一形状であっても、傾斜天井に合った配光制御が可能で光源が直接外部に露出しない傾斜天井用ダウンライトを提供することを目的とする。
【０００９】
【課題を解決するための手段】
上記課題を解決するための請求項１記載の発明は、傾斜天井に取り付けて使用される傾斜天井用ダウンライトであって、光源と、この光源の光を下方に反射する反射板と、前記光源点灯用の安定器とを備えるとともに、透光材料からなる板状あるいはシート状のものであり、少なくとも一面には微細形状による光制御手段を設けており、この光制御手段の少なくとも一面にさらに微細な形状による第２光制御手段を設けている配光制御パネルを備え、この配光制御パネルを前記光源の下方に設けてなることを特徴とする。
【００１０】
請求項２記載の発明は、請求項１記載の傾斜天井用ダウンライトにおいて、傾斜天井への取付時に前記反射板の直下が明るい配光となるように前記配光制御パネルを前記光源の下方に設けてなることを特徴とする。
【００１１】
請求項３記載の発明は、請求項１または２記載の傾斜天井用ダウンライトにおいて、前記配光制御パネルは円状に形成されていることを特徴とする。
【００１２】
請求項４記載の発明は、請求項１または２記載の傾斜天井用ダウンライトにおいて、前記配光制御パネルは多角形状に形成されていることを特徴とする。
【００１３】
請求項５記載の発明は、請求項３または４記載の傾斜天井用ダウンライトにおいて、前記光源は蛍光灯であることを特徴とする。
【００１４】
請求項６記載の発明は、請求項３または４記載の傾斜天井用ダウンライトにおいて、前記光源は白熱灯であることを特徴とする。
【００１５】
請求項７記載の発明は、請求項５記載の傾斜天井用ダウンライトにおいて、前記光源の軸方向と前記配光制御パネルの微細加工方向とが平行になっていることを特徴とする。
【００１６】
請求項８記載の発明は、請求項５記載の傾斜天井用ダウンライトにおいて、前記光源の軸方向と前記配光制御パネルの微細加工方向とが垂直になっていることを特徴とする。
【００１７】
請求項９記載の発明は、請求項５または６記載の傾斜天井用ダウンライトにおいて、前記光源の軸方向に対する前記配光制御パネルの微細加工方向を任意の方向に調整自在となっていることを特徴とする。
【００１８】
請求項１０記載の発明は、請求項７から９のいずれかに記載の傾斜天井用ダウンライトにおいて、前記配光制御パネルは平面板状であることを特徴とする。
【００１９】
請求項１１記載の発明は、請求項７から９のいずれかに記載の傾斜天井用ダウンライトにおいて、前記配光制御パネルは下方側の外周寸法が上方側の外周寸法よりも小さい下に凸の断面形状になっていることを特徴とする。
【００２０】
請求項１２記載の発明は、請求項７から９のいずれかに記載の傾斜天井用ダウンライトにおいて、前記配光制御パネルは、上方に開口を有する箱状に形成され開口縁部につば部を有していることを特徴とする。
【００２１】
請求項１３記載の発明は、請求項１２記載の傾斜天井用ダウンライトにおいて、前記つば部はマット状となっていることを特徴とする。
【００２２】
請求項１４記載の発明は、請求項１０から１３のいずれかに記載の傾斜天井用ダウンライトにおいて、前記配光制御パネルを囲繞する枠を備え、前記配光制御パネルは、前記枠の内周縁部に近接しながらその内周縁部から離隔した側が前記枠内側の開口面下方に突出した状態で、前記枠の内周縁部周りに回転自在となっていることを特徴とする。
【００２３】
【発明の実施の形態】
以下の本発明に係る各実施形態では、透光材料からなる板状あるいはシート状のものであり、少なくとも一面には微細形状による光制御手段を設けており、この光制御手段の少なくとも一面にさらに微細な形状による第２光制御手段を設けている配光制御パネル（特許文献２）が使用されるので、まず、図１９から図３５を参照しながらその配光制御パネルについて説明する。
【００２４】
配光制御パネル２は、図１９に示すように、光源１の外周を囲むように配置されて光源１の側方に配設されるものであって、ポリメチルメタクリレートやポリカーボネートやガラス等の透光材料からなる板状もしくはシート状のものであり、その一面である光源１側の面に、微細な形状による光制御手段３を設けるとともに、この光制御手段３に更に微細な形状による第２光制御手段４を設けたものである。具体的には光制御手段３は微細なプリズムを使用することができ、第２光制御手段４としてはさらに微細なプリズムを用いることができる。なお、これら光制御手段３及び第２光制御手段４を備えた配光制御パネル２は、切削加工や成形工法によって得ることができる。
【００２５】
上下に傾き方向が逆となった傾斜面が並ぶプリズムからなる光制御手段３において、光を制御したい方向に屈折させるのであるが、この時、光の制御方向と反対方向に配光制御パネル２に入射する光は、制御したい方向と逆方向に出射してしまう。このために設けたのがその形状によって確率的に反射屈折を制御する第２光制御手段４である。図１（ｄ）に示すように、光制御手段３であるプリズムと略平行な線状のプリズムを第２光制御手段４として、光制御手段３のプリズムにおける下側の傾斜面に設ければ、光の制御方向と反対方向に配光制御パネル２に入射する光も、多重反射屈折によって制御したい方向に出射させることができる。
【００２６】
ここにおいて、光制御手段３を構成する微細な形状であるが、これは人間の目の分解能以下のものとしておく。人間の目の分解能は視野角で４０〜５０秒程度であり、対象物との距離によりその形状サイズも変化するが、例えば、街路灯として使用する場合は、人間の目の位置から２〜３ｍ程度であるために、光制御手段３の最大形状サイズＰとしては、０．５ｍｍ程度とするのが好ましいが、屋内のダウンライトなどでは距離が小さくなるために、さらに微細にする必要があり、０．２ｍｍ程度以下が好ましい。いずれにしろ、人間の目の分解能以下の形状とすることで、形状の付与がわからないものとなり、乳白拡散板と同様の和らぎ感のある光を得ることができるものであり、また、この和らぎ感は乳白のガラスやプラスチックと同程度の感覚を与えて、あたかもパネルの透過率を低下させて上方への光量を低下させているように感ずるものとなる。
【００２７】
第２光制御手段４のプリズムの大きさは、５０μｍからサブミクロンの形状とする。図１９では頂角がほぼ４５°の柱状形状のものを示したが、この形状は光の制御方向によって変わるものであり、柱状形状で面内で同一でもよいが個々に単体で配置してもよい。また、各プリズム全てが同一でなくてもよい。
【００２８】
第２光制御手段４は図２０に示すように微小な円錐状、あるいは角錐状のプリズム（突起物）を配置して形成したものであってもよい。錐状プリズムの大きさは底面が５μｍ〜１００μｍ、高さが１μｍ〜２００μｍとする。錐状プリズムに光が入射すれば、錐状プリズムにおいて光は多重反射するために、設計方向と反対方向に行く光を低減することができる。また、この場合は左右方向への制御光もプラスされるために視覚的により和らぐものとなる。
【００２９】
第２光制御手段４は図２１に示すように回折格子であってもよい。回折格子を設ければ、特定波長の光は干渉によって方向が変化するが、この性質を利用して回折ピッチを制御することにより、方向を制御して他の面での反射屈折と組み合わせることで光の出射方向を制御することができる。ちなみに回折条件は格子定数をｄ、入射角度をθ１、回折角度をθ２、次数をｍ、波長をλとする時、ｄ（ｓｉｎθ１＋ｓｉｎθ２）＝ｍλとなる。回折格子による方向の変化は波長によって異なるために、光源１から出る波長成分にあった回折ピッチを設定する。通常、光源１からは種々の波長の光が出射されているために、回折格子ピッチを変化させて組み合わせて用いてもよい。
【００３０】
第２光制御手段４はさらに図２２に示すように、拡散面であってもよい。拡散面とした場合、入射した光は拡散するために、特定の方向に光を向けることは困難であるが、向けたくない方向への光の量を低減するという点で有効である。光制御手段３によって大半の光を特定方向に向けており、光制御手段３で制御できない光は第２光制御手段４で拡散させることで、向けたくない方向への光は大部分を低減することができる。
【００３１】
なお、拡散面とする場合は、通過する光の波長の４／５以上の面粗度とするのが好ましい。一般的に光学的な平面とは波長の１／４以下の凹凸を有する面のことを指しており、それ以上の凹凸が存在する面では光は拡散反射あるいは拡散しながら透過することになる。この時、面粗度の値に応じて配光分布も変化するものであり、面粗度が小さい時は図２３（ｃ）のような配光分布となるのに対して、面粗度が中の時には図２３（ｂ）のような配光分布に、面粗度が大の時には図２３（ａ）のような配光分布となり、粗くなるほど片側に偏った配光とすることができて、上下に出射される光の割合を変えることができる。特に使用波長の４／５以上の粗さとすることで、指向性を強く持たせて片側にだけ配光することができる。
【００３２】
このような拡散面としての第２光制御手段４を備えた配光制御パネル２は、第２光制御手段４を設ける面の切削加工時に面精度の良くない超硬バイトを用いて粗面化することで得ることができるが、このほか、プリズム形状をランダムに形成するといった形状制御でも拡散面を生成することができる。
【００３３】
ところで、プリズムアレーである光制御手段３で光を制御する場合、光源１との相対位置関係によって入射角が決まる。一般に光源１からその軸に対して略平行な方向に光が発せられるために、図２４に示すように、配光制御パネル２を光源軸に略平行に配置すると、配光制御パネル２に略平行に入射する光が多くなる。したがって、光制御手段３における一面（下面）を光源軸に対して略平行とすることで、この面に直接入射する光は少なくなり、特定方向（下方向）に光を屈折させる他面に入射する光の割合が増える。また、光制御手段３のプリズムの頂角θを小さくするほど偏向角αを大きくすることができ、その結果、上方への光束は低減されて有効な照明が行われることになる。ただし、偏向角αをあまり大きくすると、出射面側での全反射が増加して透過率が低下するために、頂角θは３０〜８０°程度が好ましい。第２光制御手段４は図２５に示すように、光源軸と略平行とした面に設けるのはもちろんである。
【００３４】
図２６は光制御手段４であるプリズムアレーの頂角部に曲面Ｒを設けたものを示している。光制御手段３の第２光制御手段４を設けていない側の面に入射して屈折した光が第２光制御手段４を設けた面にあたると、多重反射屈折するために光量のロスが大きくなることから、頂角部付近に曲面Ｒを設けることで、頂角部付近に入射した光の偏向角を抑えて第２光制御手段４を設けた面に当たらないようにしたものである。これにより、偏向角が小さくなる成分が生じるが、上方への出射は抑えられる。また、出射効率が向上する分、下方への光制御を有効に行うことができる。
【００３５】
また、配光制御パネル２を射出成形等の成形で行うことを想定すると、頂角部が尖鋭なものを得ることは実際上、不可能であるが、成形の際にどうしても生じてしまう曲面Ｒを考慮した設計を行うことができることになり、製造上、有効な形状であるとも言える。
【００３６】
ところで、光制御手段３をプリズムアレーで構成した場合、図３２においてＡ方向から見た場合は拡散光を見ることになるために乳白様に見えるが、Ｂ方向から見た場合は屈折光を見ることになるために、ランプイメージが見えてしまう。このランプイメージが見えてしまうことを防ぐには、配光制御パネル２として、図３３に示すように、拡散顔料６を添加した透光体（半透明体を含む）を用いるとよい。Ｂ方向から見た場合、屈折光＋拡散光を見ることになるために、ランプイメージが和らいだものとなる。拡散顔料としては、粒径数μｍのシリコンゴム、ＢａＳＯ４　等を用いることができ、この添加によって透過率がほぼ９０％程度、拡散率数十％としたものを材料とするのが好ましい。
【００３７】
図３４に示すように、光制御手段３や第２光制御手段４の微細構造をつぶさないようにＳｉＯ２　の保護膜７をＴＥＯＳ−ＣＶＤ法等によって５００ｎｍ以下の厚みでコーティングするのも好ましい。表面硬度が上がり、耐擦傷性を向上させて傷がつきにくくすることができる。また、フッ素系の材料を重ねてコーティングしたり、ＴＥＯＳ（Ｓｉ（ＯＣ２　Ｈ５　）４　）の４つの−ＯＣ２　Ｈ５　のうち１つがフッ素に置き換わった材料をＣＶＤすることで、表面硬度上昇に加えて撥水性も持たせることができ、この結果、防汚機能を付与することもできる。なお、コーティング法はＣＶＤ法に限るものではなく、スプレーやディッピング法を用いてもよい。
【００３８】
図３５に示すように、配光制御パネル２全体に反射防止膜８を塗布することも好ましい。もっとも、構造を持った表面に膜厚制御がきびしい反射防止膜８（例えばＭｇＦ２　をλ／４の厚みでコーティング）を設けるのは困難であるが、形状が一軸方向のみの場合、〜０．１μｍの粒径のＳｉＯ２　の微粒子をディッピング法によって一層コーティングすればよい。波長以下の領域でλ／４程度の凹凸は空気と板材の中間の屈折率を連続的に持つことができるために、反射防止膜８としての効果を得ることができるものである。このような反射防止膜８を設けることで、表面で反射される光が４％から０．５％以下に低減させることができるために、全体の透過率を７％ほど向上させることができる。コーティング法としては、超微粒子を含有したアルコールをスプレーすることで行ってもよい。
【００３９】
光触媒（ＴｉＯ２　）の超微粒子（０．１μｍ以下のサイズ）を上記反射膜８の形成と同様の方法により表面にコーティングしてもよく、この場合、光触媒反応によって表面についた汚れを分解することができるために、汚れの付着による透過率の低下や光制御機能の低下を長期にわたり防止することができる。
【００４０】
光制御手段３であるプリズムアレーは、図２７に示すように、光源軸に対して略平行な平面３０を備えたものであってもよい。この平面３０に入射した光は入射方向と同方向に出射されることになり、斜面部に対する略平行部の比率を増大させることで、図２８（ｂ）に示す配光から図２７（ｂ）に示す配光のように、出射光線の配光分布を変化させることができるとともに、制御量を自由に調整することができる。
【００４１】
もっとも、上記略平行な面３０を設けた場合、外から見ると光源１の形状、すなわちランプイメージがそのまま見えてしまうことになって好ましくない。これを避けるには、図２９に示すように、略平行な面３０を光学的に粗面としてやればよい。拡散して出射していくために、ランプイメージを低減することができる。
【００４２】
上記の各例では、光制御手段３を上下に柱状プリズムが並ぶプリズムアレーとしていたが、図３０に示すように、水平断面と直交する方向の溝を備えたものとしてもよく、この場合、光は水平面内でも屈折によって方向を変えるために、水平方向についても配光分布を制御することができるものとなる。また、水平方向の屈折は光を複数方向に分けるために、光源１の像も広がって見えることになり、ランプイメージがわかりにくくなって、ランプイメージ低減の効果も有する。なお、水平断面に直交する方向の溝は、図示例のようなプリズム形状以外にレンチキュラーのような曲面形状であってもよい。
【００４３】
図３１は配光制御パネル２の外面側にも光制御手段５を設けたものを示している。この光制御手段５は光制御手段３と同等の構造のものを持つものを採用することができ、さらには第２光制御手段４と同等の構造を持つものを付加してもよい。２つの制御手段３，５によって光を偏向させることができるものであり、偏向角αを大きくすることや指向性をさらに高めることなども容易となる。
【００４４】
ところで、上記のような配光制御パネル２は、光源１の外周を取り巻くように配置する場合、円筒形もしくは円筒の分割形状としておくことになるが、本発明に係る各実施形態は傾斜天井用ダウンライトであるので、円状または四角形状などの２次元的な形状に形成されることになる。
【００４５】
次に、図１から図１７を参照しながら本発明に係る各実施形態について説明する。
【００４６】
（第１実施形態）
図１は本発明に係る第１実施形態の傾斜天井用ダウンライトの構成図である。
【００４７】
第１実施形態の傾斜天井用ダウンライトは、図１に示すように、傾斜天井板Ｃに形成された例えばφ１２５ｍｍ径の埋込孔Ｃ１から傾斜天井板Ｃの奥側に収容されるものあり、光源として屈曲形状の発光管およびこれと接続される口金によりなる片口金型蛍光灯１Ａと、アクリル製で円板状に形成された上述の配光制御パネル２とを備えているほか、取付本体１０と、複数（例えば３つ）の取付金具１１と、天板１２と、磁器製のソケット１３と、安定器１４と、反射板１５と、枠１６と、複数（例えば２つ）の取付バネ１７とを備えている。
【００４８】
取付本体１０および複数の取付金具１１は、本傾斜天井用ダウンライトを傾斜天井板Ｃに取付固定するためのものである。取付本体１０は、例えば０．５ｍｍ厚の塗装鋼板により下方に円状の開口１００を有しこの開口縁部につば部１０１を備えるドーム形状に形成されてなり、側周部に、片口金型蛍光灯１Ａの口金側を挿通するための挿通孔（図示せず）と、複数の取付金具１１がそれぞれ装着されるＴ字形状の複数の孔１０２とを有している。また、取付本体１０の内面には、例えば各取付バネ１７の側部を係止する一対の係止部（係止溝を有する突部または先端に内向きの爪を有する係止突片など）が形成されている。他方、各取付金具１１は、取付本体１０の孔１０２に装着された状態で、取付本体１０のつば部１０１とともに傾斜天井板Ｃを挟み込むことにより、取付本体１０を傾斜天井板Ｃに取付固定するためのいわゆる挟み金具であり、例えば０．５ｍｍ厚のステンレス（ＳＵＳ）により構成される。
【００４９】
天板１２は、当該天板１２の下面に取付固定されたソケット１３および安定器１４を保持するためのものであり、例えば１ｍｍ厚の鋼板により構成され、取付本体１０の底部上面に取付固定される。以下、取付本体１０、この底部上面に取付固定された天板１２ならびにこの下面に取付固定されたソケット１３および安定器１４の一式を本体ブロックと呼ぶ。
【００５０】
ソケット１３は、例えば電線を介して安定器１４の出力端子と接続され、片口金型蛍光灯１Ａが取付本体１０の挿通孔に挿通され当該ソケット１３に片口金型蛍光灯１Ａの口金が装着されると、その口金を安定器１４の出力端子に電気的に接続する。
【００５１】
安定器１４は、商用電源から片口金型蛍光灯１Ａ点灯用の電力を得てこれを片口金型蛍光灯１Ａに供給するためのものである。
【００５２】
反射板１５は、下方に円状の開口を有しこの開口縁部につば部を備えるドーム形状に形成されてなり、底部および側周部の一部に片口金型蛍光灯１Ａを内部に挿通するための孔（図示せず）を有している。また、反射板１５の少なくとも内面は、アルミ鏡面またはアルミ白塗装仕上げとなっている。
【００５３】
枠１６は、例えば０．６ｍｍ厚の塗装鋼板によりなり、反射板１５の開口縁部に外向きのフランジ部として設けられ、例えば取付本体１０のつば部１０１を目隠しするようになっている。
【００５４】
取付バネ１７は、φ１．２ｍｍのステンレス（ＳＵＳ）によりイカ状に形成され、足部側が反射板１５および枠１６のうち例えば枠１６に取付固定され、胴部または頭部が取付本体１０の内面に形成された上述の係止部に係止することにより、反射板１５および枠１６の一式を着脱自在に取付本体１０に取付固定するためのものである。以下、反射板１５、このつば部に取り付けられる枠１６およびこれに取付固定される取付バネ１７の一式を反射板ブロックと呼ぶ。なお、図１中のＬは方向指定ラベルである。
【００５５】
次に上記傾斜天井用ダウンライトの取付手順の一例について説明する。先ず、反射板ブロックを取り外した状態で、本体ブロックにおける安定器１４への商用電源の結線後、本体ブロックにおけるソケット１３および安定器１４側を傾斜天井板Ｃの埋込孔Ｃ１内に押し込んで、取付本体１０を埋込孔Ｃ１に填め込む。次いで、取付本体１０のつば部１０１と各取付金具１１とにより傾斜天井板Ｃを狭持させて、本体ブロックを傾斜天井板Ｃに取付固定し、片口金型蛍光灯１Ａをソケット１３に装着する。この後、反射板ブロックを取付本体１０内に収容しながら、各取付バネ１７を取付本体１０の内面に形成された係止部に係止させて、反射板ブロックを取付本体１０に取付固定する。
【００５６】
以上のように、配光制御パネル２を備え、この配光制御パネル２を片口金型蛍光灯１Ａの下方に設けることにより、水平天井用ダウンライトと同一形状であっても、傾斜天井に合った配光制御が可能となり、片口金型蛍光灯１Ａを直接外部に露出させないようにすることができる。また、傾斜天井専用の反射板や器具を必要としないので、水平天井用ダウンライトと同程度のコストで済み、同等の器具サイズで傾斜天井用ダウンライトを提供することができる。
【００５７】
また、配光制御パネル２が円状に形成されているので、一般的な居室（洋室など）の傾斜天井に違和感無く使用することができる。
【００５８】
さらに、光源として片口金型蛍光灯が使用されるので、美観の良い拡散光が得られる。
【００５９】
（第２実施形態）
図２は本発明に係る第２実施形態の傾斜天井用ダウンライトの構成図である。
【００６０】
第２実施形態の傾斜天井用ダウンライトは、図２に示すように、配光制御パネル２と、取付本体１０と、複数の取付金具１１と、反射板１５と、枠１６と、複数の取付バネ１７とを第１実施形態と同様に備えているほか、第１実施形態との相違点として、６本管形状の発光管およびこれと接続される複数のピンを持つベースによりなる片口金型蛍光灯１Ｂと、天板１２Ａと、片口金型蛍光灯１Ｂのベース装着用のソケット１３Ａと、安定器１４Ａとを備えている。
【００６１】
天板１２Ａは、取付本体１０の底部上面に取付固定され下面に取付固定されたソケット１３Ａを保持するための固定板１２１と、この固定板１２１に対して屈曲自在に取り付けられた可動板１２２とにより構成され、可動板１２２には安定器１４Ａが取付固定されている。なお、天板１２Ａは、例えば０．８ｍｍ厚の鋼板により構成される。
【００６２】
ソケット１３Ａ（樹脂製）は、例えば電線を介して安定器１４Ａの出力端子と接続され、片口金型蛍光灯１Ｂが取付本体１０の挿通孔に挿通され当該ソケット１３Ａに片口金型蛍光灯１Ｂのベースが装着されると、そのベースが持つピンを安定器１４Ａの出力端子に電気的に接続するものである。
【００６３】
安定器１４Ａは、商用電源を整流および平滑などして直流電力を得る直流電源部、この直流電源部からの直流電力を交流電力に変換して片口金型蛍光灯１Ｂに供給するインバータ部などにより構成される。
【００６４】
以上の構成でも、配光制御パネル２を備え、この配光制御パネル２が片口金型蛍光灯１Ｂの下方に設けられるので、水平天井用ダウンライトと同一形状であっても、傾斜天井に合った配光制御が可能となり、片口金型蛍光灯１Ｂを直接外部に露出させないようにすることができる。
【００６５】
（第３実施形態）
図３は本発明に係る第３実施形態の傾斜天井用ダウンライトにおける反射板ブロックの一部断面図、図４は同反射板ブロックを構成する反射板および配光制御パネルの斜視図である。
【００６６】
第３実施形態の傾斜天井用ダウンライトは、図３，図４に示すように、第１または第２実施形態との相違点として、つば部１５１に一対の切欠部１５１ａを有している反射板１５Ａと、それら一対の切欠部１５１ａにそれぞれ填り込む一対の突起部２０を有している配光制御パネル２Ａと、枠１６Ａとを備えている。
【００６７】
枠１６Ａは、当該枠１６Ａの上面中程から上方に延出する筒状部１６１を一体に備えるとともに、この筒状部１６１の内周面に、当該枠１６Ａの上面内側とともに反射板１５Ａのつば部１５１と配光制御パネル２Ａの外周縁部とを挟み込むつめ（狭持片）１６２を一体に備えることを特徴とする。なお、枠１６Ａの筒状部１６１は取付本体１０内に填り込み、取付本体１０のつば部１０１が傾斜天井板Ｃの下面と枠１６Ａの上面外側との間に挟み込まれることになる。
【００６８】
このような構造によれば、一対の切欠部１５１ａが反射板１５Ａのつば部１５１に設けられ、それら一対の切欠部１５１ａにそれぞれ填り込む一対の突起部２０が配光制御パネル２Ａに設けられるので、反射板１５Ａと配光制御パネル２Ａとの位置決めを確実にできる。
【００６９】
また、枠１６Ａが筒状部１６１およびつめ１６２を備えるので、位置決めされた反射板１５Ａおよび配光制御パネル２Ａを枠１６Ａに取付固定することができる。
【００７０】
（第４実施形態）
図５は本発明に係る第４実施形態の傾斜天井用ダウンライトの構造説明図であり、この第４実施形態の傾斜天井用ダウンライトは、図５に示すように、第１実施形態との相違点として、取付本体１０のつば部にパッキン１０１Ａが設けられている。これにより、高気密タイプの傾斜天井用ダウンライトを提供することができる。
【００７１】
（第５実施形態）
図６は本発明に係る第５実施形態の傾斜天井用ダウンライトの構造説明図であり、この第５実施形態の傾斜天井用ダウンライトは、図６に示すように、第３実施形態との相違点として、枠１６Ａの上面内側と配光制御パネル２Ａの外周縁部との間に介設されるリング状のパッキンＰをさらに備えている。これにより、高気密タイプの傾斜天井用ダウンライトを提供することができる。
【００７２】
（第６実施形態）
図７は本発明に係る第６実施形態の傾斜天井用ダウンライトにおける配光制御パネルの説明図、図８は同傾斜天井用ダウンライトによる配光の様子を示す図である。
【００７３】
第６実施形態の傾斜天井用ダウンライトは、上記第１〜第５実施形態のいずれかにおいて、例えば３０度の傾斜天井板Ｃへの取付時に反射板（図８では１５）の直下が明るい配光となるように、図７に示すような構造の配光制御パネル２を光源（図８では１Ａ）の下方に備える構成になっている。
【００７４】
図７において、「平滑面」（光制御手段３）と「粗面」（第２光制御手段４）とが傾斜天井Ｃの傾斜方向における高位置から低位置にかけて交互に形成され、「平滑面」は、配光制御パネル２の光源側の面の垂線に対して４０度の角度をなし、「粗面」は、その垂線に対して３度の角度をなしている。これにより、眩しさを抑えながら直下の照度を確保することができる。
【００７５】
（第７実施形態）
図９は本発明に係る第７実施形態の傾斜天井用ダウンライトの構造説明図である。
【００７６】
第７実施形態の傾斜天井用ダウンライトは、例えば第１実施形態との相違点として、図９に示すように、取付本体１０Ａと、天板１２Ｂと、取付本体１０Ａに収容される反射板と、枠１６Ｂと、配光制御パネル２Ｂとを備えている。
【００７７】
取付本体１０Ａは、多角（図では四角）形状の開口を有する箱状に形成され、底部に片口金型蛍光灯１Ａ挿通用の挿通孔が形成されている以外は第１実施形態の取付本体１０と同様に構成される。天板１２Ｂは、取付本体１０Ａの底部上面に対面するように取付固定され、取付本体１０Ａの底部に形成された上記挿通孔上方にソケット１３が設けられ、その側方に安定器１４が設けられる。取付本体１０Ａに収容される反射板は、多角（四角）形状の開口を有する箱状に形成され、底部に片口金型蛍光灯１Ａ挿通用の挿通孔が形成されている以外は第１実施形態の反射板１５と同様に構成される。枠１６Ｂおよび配光制御パネル２Ｂは、それぞれ多角（四角）形状に形成される以外は第１実施形態の枠１６および配光制御パネル２と同様に構成される。
【００７８】
このように配光制御パネル等を多角形状に形成することにより、和室などの傾斜天井に違和感無く使用することができる。
【００７９】
（第８実施形態）
図１０は本発明に係る第８実施形態の傾斜天井用ダウンライトにおける光源の軸方向と配光制御パネルの微細加工方向との関係を示す図である。
【００８０】
第８実施形態の傾斜天井用ダウンライトは、第１から第６実施形態のうち例えば第１実施形態との相違点として、図１０に示すように、片口金型蛍光灯１Ａの軸方向と配光制御パネル２の微細加工方向とが平行になっている。なお、微細加工方向は、「平滑面」（光制御手段３）と「粗面」（第２光制御手段４）とを交互に形成する方向のことであり、先の図７の例では傾斜天井の傾斜方向と一致している。
【００８１】
このように、片口金型蛍光灯１Ａの軸方向と配光制御パネル２の微細加工方向とを平行にすることにより、ランプイメージをぼやかして外観を良くすることができる。
【００８２】
（第９実施形態）
図１１は本発明に係る第９実施形態の傾斜天井用ダウンライトにおける光源の軸方向と配光制御パネルの微細加工方向との関係を示す図である。
【００８３】
第９実施形態の傾斜天井用ダウンライトは、第１から第６実施形態のうち例えば第１実施形態との相違点として、図１１に示すように、片口金型蛍光灯１Ａの軸方向と配光制御パネル２の微細加工方向とが垂直になっている。
【００８４】
このように、片口金型蛍光灯１Ａの軸方向と配光制御パネル２の微細加工方向とを垂直にすることにより、ランプソケット１３等の重量部品を傾斜天井の斜面下側に配置することができ、傾斜天井への取付時の器具安定性が向上する。
【００８５】
（第１０実施形態）
図１２は本発明に係る第１０実施形態の傾斜天井用ダウンライトにおける光源の軸方向と配光制御パネルの微細加工方向との関係を示す図である。
【００８６】
第１０実施形態の傾斜天井用ダウンライトは、第１，第３実施形態との相違点として、第３実施形態の枠１６Ａの構造により、本体ブロックのソケット１３に装着された片口金型蛍光灯１Ａの軸方向に対して、配光制御パネル２Ａの微細加工方向を任意の方向に調整自在となっている。
【００８７】
このように、片口金型蛍光灯１Ａの軸方向に対して、配光制御パネル２Ａの微細加工方向を任意の方向に調整自在とすることにより、空間を照らすなどの顧客の要求に容易に応えることができる。
【００８８】
（第１１実施形態）
図１３は本発明に係る第１１実施形態の傾斜天井用ダウンライトの構造説明図である。
【００８９】
第１１実施形態の傾斜天井用ダウンライトは、図１３に示すように、片口金型蛍光灯１Ａと、配光制御パネル２と、取付本体１０と、複数の取付金具１１と、天板１２と、ソケット１３と、安定器１４（図示せず）と、反射板１５と、複数の取付バネ１７とを第１実施形態と同様に備えているほか、第１実施形態との相違点として、第３実施形態と同様の枠１６Ａを備え、配光制御パネル２として、平面板状に形成されその上面が微細加工面となるものが使用される。
【００９０】
このように、平面板状に形成されその上面が微細加工面となる配光制御パネル２を使用することにより、配光制御パネル２の金型経費を低減することができるほか、配光制御パネル２の成形性も向上し、配光制御パネル２の単価を下げることができる。
【００９１】
（第１２実施形態）
図１４は本発明に係る第１２実施形態の傾斜天井用ダウンライトの構造説明図である。
【００９２】
第１２実施形態の傾斜天井用ダウンライトは、図１４に示すように、片口金型蛍光灯１Ａと、取付本体１０と、複数の取付金具１１と、天板１２と、ソケット１３と、安定器１４（図示せず）と、複数の取付バネ１７とを第１実施形態と同様に備えているほか、第１実施形態との相違点として、配光制御パネル２Ａと、反射板１５Ａと、枠１６Ａとを第３実施形態と同様に備え、配光制御パネル２Ａとして、下方側の外周寸法が上方側の外周寸法よりも小さい下に凸の断面形状に形成されその上面が微細加工面となるものが使用される。
【００９３】
なお、図３に示した配光制御パネル２Ａも、下方側の外周寸法が上方側の外周寸法よりも小さい下に凸の断面形状に形成されその上面が微細加工面となるものである。
【００９４】
このように、下方側の外周寸法が上方側の外周寸法よりも小さい下に凸の断面形状に形成されその上面が微細加工面となる配光制御パネル２Ａを使用することにより、内部部品を見え難くして外観を良くすることができ、平面上に微細加工面を形成することになり、配光制御パネル２Ａの金型加工性が良くなる。
【００９５】
（第１３実施形態）
図１５は本発明に係る第１３実施形態の傾斜天井用ダウンライトの構造説明図である。
【００９６】
第１３実施形態の傾斜天井用ダウンライトは、図１５に示すように、片口金型蛍光灯１Ａと、取付本体１０と、複数の取付金具１１と、天板１２と、ソケット１３と、安定器１４（図示せず）と、反射板１５と、複数の取付バネ１７とを第１実施形態と同様に備えているほか、第１実施形態との相違点として、第３実施形態と同様の枠１６Ａと、上方に開口を有する箱状に形成され開口縁部につば部２２Ｃを有し底部２０Ｃ上面が微細加工面となる配光制御パネル２Ｃとを備えている。
【００９７】
このように、上方に開口を有する箱状に形成され開口縁部につば部２２Ｃを有し底部２０Ｃ上面が微細加工面となる配光制御パネル２Ｃを使用することにより、配光制御パネル２Ｃの側周部２１Ｃである立上り部分が透明となるため、片口金型蛍光灯１Ａの点灯時、配光制御パネル２Ｃの側周部２１Ｃに沿ったリング状の光を発生させることができる。
【００９８】
なお、第１３実施形態において、つば部２２Ｃをマット状にすることにより、上記リング状の光をやわらげることができる。また、平面板状の配光制御パネルよりも外観を良くすることができる。
【００９９】
（第１４実施形態）
図１６は本発明に係る第１４実施形態の傾斜天井用ダウンライトの構造説明図である。
【０１００】
第１４実施形態の傾斜天井用ダウンライトは、上記各実施形態のうち例えば第１実施形態との相違点として、図１６に示すように、取付本体１０（図示せず）に回動可能に収納される反射板１５Ｂを備え、この反射板１５Ｂの開口に第１実施形態の配光制御パネル２よりも小径の配光制御パネル２Ｄが取り付けられ、この配光制御パネル２Ｄは、当該配光制御パネル２Ｄの軸が枠１６の中心軸に対して最大で約４５度傾斜自在となっているとともに、枠１６の内周縁部に近接しながらその内周縁部から離隔した側が枠１６内側の開口面下方に突出した状態で、枠１６の内周縁部周りに約３６０度回転自在となっている。
【０１０１】
このような構成によれば、傾斜天井の傾斜角度別に商品を用意する必要がなくなり、１種類の商品で様々な傾斜角度の傾斜天井に対応可能となる。
【０１０２】
（第１５実施形態）
図１７は断熱材を使用した傾斜天井への傾斜天井用ダウンライトの設置の様子を示す図である。
【０１０３】
本発明に係る第１５実施形態では、例えば第１実施形態のように、取付本体１０の底部上面に矩形状の天板１２を取付固定し、取付本体１０の側方に位置するようにソケット１３および安定器１４を天板１２の下面に取付固定してなる傾斜天井用ダウンライトが使用される。
【０１０４】
このように、ソケット１３および安定器１４が取付本体１０の側方に位置する構造の傾斜天井用ダウンライトを使用することにより、傾斜天井Ｃの上面から突出する高さを低くすることができるから、断熱材９を使用した傾斜天井Ｃに埋設することが可能となる。
【０１０５】
なお、上記各実施形態では、光源は片口金型蛍光灯になっているが、本発明の光源はこれに限らず白熱灯でもよく、この場合、初期投資額をおさえた商品の提供が可能となる。
【０１０６】
【発明の効果】
以上のことから明らかなように、請求項１記載の発明は、傾斜天井に取り付けて使用される傾斜天井用ダウンライトであって、光源と、この光源の光を下方に反射する反射板と、前記光源点灯用の安定器とを備えるとともに、透光材料からなる板状あるいはシート状のものであり、少なくとも一面には微細形状による光制御手段を設けており、この光制御手段の少なくとも一面にさらに微細な形状による第２光制御手段を設けている配光制御パネルを備え、この配光制御パネルを前記光源の下方に設けてなるので、水平天井用ダウンライトと同一形状であっても、傾斜天井に合った配光制御が可能となり、光源を直接外部に露出させないようにすることができる。
【０１０７】
請求項２記載の発明は、請求項１記載の傾斜天井用ダウンライトにおいて、傾斜天井への取付時に前記反射板の直下が明るい配光となるように前記配光制御パネルを前記光源の下方に設けてなるので、眩しさを抑えながら直下の照度を確保することができる。
【０１０８】
請求項３記載の発明は、請求項１または２記載の傾斜天井用ダウンライトにおいて、前記配光制御パネルは円状に形成されているので、一般的な居室（洋室など）の傾斜天井に違和感無く使用することができる。
【０１０９】
請求項４記載の発明は、請求項１または２記載の傾斜天井用ダウンライトにおいて、前記配光制御パネルは多角形状に形成されているので、和室などの傾斜天井に違和感無く使用することができる。
【０１１０】
請求項５記載の発明は、請求項３または４記載の傾斜天井用ダウンライトにおいて、前記光源は蛍光灯であるので、美観の良い拡散光が得られる。
【０１１１】
請求項６記載の発明は、請求項３または４記載の傾斜天井用ダウンライトにおいて、前記光源は白熱灯であるので、初期投資額をおさえた商品の提供が可能となる。
【０１１２】
請求項７記載の発明は、請求項５記載の傾斜天井用ダウンライトにおいて、前記光源の軸方向と前記配光制御パネルの微細加工方向とが平行になっているので、ランプイメージをぼやかして外観を良くすることができる。
【０１１３】
請求項８記載の発明は、請求項５記載の傾斜天井用ダウンライトにおいて、前記光源の軸方向と前記配光制御パネルの微細加工方向とが垂直になっているので、ランプソケット等の重量部品を傾斜天井の斜面下側に配置することができ、傾斜天井への取付時の器具安定性が向上する。
【０１１４】
請求項９記載の発明は、請求項５または６記載の傾斜天井用ダウンライトにおいて、前記光源の軸方向に対する前記配光制御パネルの微細加工方向を任意の方向に調整自在となっているので、空間を照らすなどの顧客の要求に容易に応えることができる。
【０１１５】
請求項１０記載の発明は、請求項７から９のいずれかに記載の傾斜天井用ダウンライトにおいて、前記配光制御パネルは平面板状であるので、配光制御パネルの金型経費を低減することができるほか、配光制御パネルの成形性も向上し、配光制御パネルの単価を下げることができる。
【０１１６】
請求項１１記載の発明は、請求項７から９のいずれかに記載の傾斜天井用ダウンライトにおいて、前記配光制御パネルは下方側の外周寸法が上方側の外周寸法よりも小さい下に凸の断面形状になっているので、内部部品を見え難くして外観を良くすることができ、平面上に微細加工面を形成することになり、配光制御パネルの金型加工性が良くなる。
【０１１７】
請求項１２記載の発明は、請求項７から９のいずれかに記載の傾斜天井用ダウンライトにおいて、前記配光制御パネルは、上方に開口を有する箱状に形成され開口縁部につば部を有しているので、光源の点灯時、配光制御パネルの側周部に沿ったリング状の光を発生させることができる。
【０１１８】
請求項１３記載の発明は、請求項１２記載の傾斜天井用ダウンライトにおいて、前記つば部はマット状となっているので、上記リング状の光をやわらげることができる。
【０１１９】
請求項１４記載の発明は、請求項１０から１３のいずれかに記載の傾斜天井用ダウンライトにおいて、前記配光制御パネルを囲繞する枠を備え、前記配光制御パネルは、前記枠の内周縁部に近接しながらその内周縁部から離隔した側が前記枠内側の開口面下方に突出した状態で、前記枠の内周縁部周りに回転自在となっているので、傾斜天井の傾斜角度別に商品を用意する必要がなくなり、１種類の商品で様々な傾斜角度の傾斜天井に対応可能となる。
【図面の簡単な説明】
【図１】本発明に係る第１実施形態の傾斜天井用ダウンライトの構成図である。
【図２】本発明に係る第２実施形態の傾斜天井用ダウンライトの構成図である。
【図３】本発明に係る第３実施形態の傾斜天井用ダウンライトにおける反射板ブロックの一部断面図である。
【図４】同反射板ブロックを構成する反射板および配光制御パネルの斜視図である。
【図５】本発明に係る第４実施形態の傾斜天井用ダウンライトの構造説明図である。
【図６】本発明に係る第５実施形態の傾斜天井用ダウンライトの構造説明図である。
【図７】本発明に係る第６実施形態の傾斜天井用ダウンライトにおける配光制御パネルの説明図である。
【図８】同傾斜天井用ダウンライトによる配光の様子を示す図である。
【図９】本発明に係る第７実施形態の傾斜天井用ダウンライトの構造説明図である。
【図１０】本発明に係る第８実施形態の傾斜天井用ダウンライトにおける光源の軸方向と配光制御パネルの微細加工方向との関係を示す図である。
【図１１】本発明に係る第９実施形態の傾斜天井用ダウンライトにおける光源の軸方向と配光制御パネルの微細加工方向との関係を示す図である。
【図１２】本発明に係る第１０実施形態の傾斜天井用ダウンライトにおける光源の軸方向と配光制御パネルの微細加工方向との関係を示す図である。
【図１３】本発明に係る第１１実施形態の傾斜天井用ダウンライトの構造説明図である。
【図１４】本発明に係る第１２実施形態の傾斜天井用ダウンライトの構造説明図である。
【図１５】本発明に係る第１３実施形態の傾斜天井用ダウンライトの構造説明図である。
【図１６】本発明に係る第１４実施形態の傾斜天井用ダウンライトの構造説明図である。
【図１７】断熱材を使用した傾斜天井への傾斜天井用ダウンライトの設置の様子を示す図である。
【図１８】従来の傾斜天井用ダウンライトの構造説明図である。
【図１９】本発明に係る各実施形態で使用される配光制御パネルの一例を示すもので、（ａ）は断面図、（ｂ）は拡大断面図、（ｃ）は光路の説明図、（ｄ）は拡大断面図である。
【図２０】同上の他例を示すもので、（ａ）は断面図、（ｂ）は拡大断面図、（ｃ）〜（ｅ）は形状例を示す斜視図である。
【図２１】同上のさらに他例を示すもので、（ａ）は断面図、（ｂ）は拡大断面図である。
【図２２】同上の別の例を示すもので、（ａ）は断面図、（ｂ）は拡大断面図である。
【図２３】（ａ）は面粗度が大の時の配光分布図、（ｂ）は面粗度が中の時の配光分布図、（ｃ）は面粗度が小の時の配光分布図である。
【図２４】他例の断面図である。
【図２５】さらに他例の断面図である。
【図２６】別の例の断面図である。
【図２７】異なる例を示すもので、（ａ）は断面図、（ｂ）は配光分布説明図である。
【図２８】（ａ）は断面図、（ｂ）は配光分布説明図である。
【図２９】さらに異なる例の断面図である。
【図３０】別の例を示すもので、（ａ）は断面図、（ｂ）はＸ−Ｘ線断面図である。
【図３１】他例の断面図である。
【図３２】断面図である。
【図３３】異なる例の断面図である。
【図３４】別の例の断面図である。
【図３５】さらに異なる例を示すもので、（ａ）は破断斜視図、（ｂ）は拡大断面図である。
【符号の説明】
１　光源
１Ａ，１Ｂ　片口金型蛍光ランプ
２，２Ａ，２Ｂ，２Ｃ，２Ｄ　配光制御パネル
３　光制御手段
４　第２光制御手段
１０　取付本体
１１　取付金具
１２，１２Ａ　天板
１３，１３Ａ　ソケット
１４，１４Ａ　安定器
１５，１５Ａ，１５Ｂ　反射板
１６，１６Ａ　枠
１７，１７Ａ　取付バネ
【図１】
2004127616.tif 000003
【図２】
2004127616.tif 000004
【図３】
2004127616.tif 000005
【図４】
2004127616.tif 000006
【図５】
2004127616.tif 000007
【図６】
2004127616.tif 000008
【図７】
2004127616.tif 000009
【図８】
2004127616.tif 000010
【図９】
2004127616.tif 000011
【図１０】
2004127616.tif 000012
【図１１】
2004127616.tif 000013
【図１２】
2004127616.tif 000014
【図１３】
2004127616.tif 000015
【図１４】
2004127616.tif 000016
【図１５】
2004127616.tif 000017
【図１６】
2004127616.tif 000018
【図１７】
2004127616.tif 000019
【図１８】
2004127616.tif 000020
【図１９】
2004127616.tif 000021
【図２０】
2004127616.tif 000022
【図２１】
2004127616.tif 000023
【図２２】
2004127616.tif 000024
【図２３】
2004127616.tif 000025
【図２４】
2004127616.tif 000026
【図２５】
2004127616.tif 000027
【図２６】
2004127616.tif 000028
【図２７】
2004127616.tif 000029
【図２８】
2004127616.tif 000030
【図２９】
2004127616.tif 000031
【図３０】
2004127616.tif 000032
【図３１】
2004127616.tif 000033
【図３２】
2004127616.tif 000034
【図３３】
2004127616.tif 000035
【図３４】
2004127616.tif 000036
【図３５】
2004127616.tif 000037